(57)【要約】 【課題】  通過帯域の平坦領域において、その信号強度の周波数依存性に、周辺回路の周波数特性との協調等を図る上で好都合な味付けを施すことができる狭帯域型の高周波用バンドパスフィルタを提供する。【解決手段】  バンドパスフィルタ７は、バンドパスフィルタ主要部７Ｍ（勾配形成用誘導結合部８３を含む）と補助共振回路９０Ａ，９０Ｂとをその要部として構成される。勾配形成用誘導結合部８３は、第一経路ＬＭ１において信号入力端子８４と第一主ＬＣ型並列共振回路１４Ａとの間に設けられた第一の誘導結合用分布定数線路部８２Ａと、第二経路ＬＭ２において信号出力端子８６と第二主ＬＣ型並列共振回路１４Ｂとの間に設けられた第二の誘導結合用分布定数線路部８２Ｂとを予め定められた間隔で並列対向させたものである。該構造により、バンドパスフィルタ７の帯域通過特性において、低周波端側及び高周波端側の各共振トラップ極の間に挟まれた平坦周波数特性領域に、通過信号強度が周波数に応じて連続的に増加ないし減少する勾配を付与する機能を果たす。【選択図】    図３
2006074257.tif 000002
【特許請求の範囲】
【請求項１】
信号入力端子と信号出力端子とを結ぶとともに、信号入力端子側の第一経路と信号出力端子側の第二経路とに分割された信号主経路と、前記信号主経路の前記第一経路から分岐するとともに、該第一経路と接地とを短絡する形で設けられた第一主ＬＣ型並列共振回路と、前記信号主経路の前記第二経路から分岐するとともに、該第一経路と接地とを短絡する形で設けられた第二主ＬＣ型並列共振回路とを有するとともに、予め定められた中心周波数の帯域通過特性を示すバンドパスフィルタ主要部と、
前記バンドパスフィルタ主要部が形成する通過帯域の低周波端側と高周波端側とのそれぞれに共振トラップ極を形成する補助共振回路と、
前記第一経路において前記信号入力端子と前記第一主ＬＣ型並列共振回路との間に設けられた第一の誘導結合用分布定数線路部と、前記第二経路において前記信号出力端子と前記第二主ＬＣ型並列共振回路との間に設けられた第二の誘導結合用分布定数線路部とを予め定められた間隔で並列対向させることにより、バンドパスフィルタの帯域通過特性において、前記低周波端側及び高周波端側の各前記共振トラップ極の間に挟まれた平坦周波数特性領域に、通過信号強度が周波数に応じて連続的に増加ないし減少する勾配を付与する勾配形成用誘導結合部と、
を有したことを特徴とする高周波用バンドパスフィルタ。
【請求項２】
前記勾配形成用誘導結合部は、前記第一の誘導結合用分布定数線路部と前記第二の誘導結合用分布定数線路部との対向間隔又は対向区間長により前記勾配の大きさを調整するものである請求項１記載の高周波用バンドパスフィルタ。
【請求項３】
前記第一の誘導結合用分布定数線路部と前記第二の誘導結合用分布定数線路部との、各々前記信号入力端子及び前記信号出力端子から前記第一主ＬＣ型並列共振回路及び第二主ＬＣ型並列共振回路の接地に向う方向を順方向として、前記勾配形成用誘導結合部は、それら第一の誘導結合用分布定数線路部と前記第二の誘導結合用分布定数線路部とを、前記順方向が互い逆となるように対向させることにより、前記平坦周波数特性領域に、通過信号強度が周波数の増加に応じて連続的に増加する正勾配を付与するものである請求項１又は請求項２に記載の高周波用バンドパスフィルタ。
【請求項４】
前記信号入力端子と前記信号出力端子とに、通過信号強度が周波数の増加に応じて連続的に減少する負の周波数特性を有した信号ケーブルの接続が予定され、前記勾配形成用誘導結合部が形成する前記正勾配特性により、前記信号ケーブルの負の周波数特性を少なくとも部分的に相殺するものである請求項３記載の高周波用バンドパスフィルタ。
【請求項５】
前記第一の誘導結合用分布定数線路部と前記第二の誘導結合用分布定数線路部との、各々前記信号入力端子及び前記信号出力端子から前記第一主ＬＣ型並列共振回路及び第二主ＬＣ型並列共振回路の接地に向う方向を順方向として、前記勾配形成用誘導結合部は、それら第一の誘導結合用分布定数線路部と前記第二の誘導結合用分布定数線路部とを、前記順方向が互いに一致するように対向させることにより、前記平坦周波数特性領域に、通過信号強度が周波数の増加に応じて連続的に減少する負勾配を付与するものである請求項１又は請求項２に記載の高周波用バンドパスフィルタ。
【請求項６】
前記第一主ＬＣ型並列共振回路及び前記第二主ＬＣ型並列共振回路に含まれるインダクタンスがいずれも誘電体共振器により構成され、
前記信号入力端子側及び前記信号出力端子側において、前記第一経路及び前記第二経路には、バンドパスフィルタの入出力のインピーダンスを前記誘電体共振器を含む各共振回路の入力インピーダンスに近づけるためのインピーダンス調整部が設けられている請求項１ないし請求項５のいずれか１項に記載の高周波用バンドパスフィルタ。
【請求項７】
回路基板上に実装された前記第一主ＬＣ型並列共振回路及び第二主ＬＣ型並列共振回路の各前記誘電体共振器のリード線の先端を、前記回路基板上の前記第一経路及び前記第二経路に接続するとともに、それらリード線を前記第一の誘導結合用分布定数線路部と前記第二の誘導結合用分布定数線路部として使用する請求項６記載の高周波用バンドパスフィルタ。
【請求項８】
請求項３記載の要件を備えるとともに、前記第一主ＬＣ型並列共振回路及び第二主ＬＣ型並列共振回路の前記誘電体共振器は、前記リード線が引き出される側の端面同士が互いに対向するように前記回路基板上に実装されており、前記リード線は前記順方向が互いに逆向きとなるように前記回路基板上にて対向配置されている請求項７記載の高周波用バンドパスフィルタ。
【請求項９】
前記補助共振回路は、前記第一経路及び前記第二経路に対し、前記勾配形成用誘導結合部の形成されているのと反対側において、各々接地との間で前記第一主ＬＣ型並列共振回路及び第二主ＬＣ型並列共振回路に対し並列に接続された、第一及び第二の補助ＬＣ並列共振回路にて構成されており、前記インピーダンス調整部は、前記第一経路及び前記第二経路においてそれぞれ、前記補助ＬＣ並列共振回路の分岐点と前記主ＬＣ並列共振回路の分岐点との間に配置されている請求項７又は請求項８に記載の高周波用バンドパスフィルタ。
【請求項１０】
機器の信号ケーブルを接続するための第一コネクタ部及び第二コネクタ部が形成されたフィルタハウジングと、
請求項１ないし請求項９のいずれか１項に記載の高周波用バンドパスフィルタが搭載され、前記信号入力端子と前記信号出力端子がそれぞれ前記第一コネクタ部及び第二コネクタ部に導通するようにフィルタハウジング内に収容される回路基板とを有し、
前記第一主ＬＣ型並列共振回路及び前記第二主ＬＣ型並列共振回路に含まれるキャパシタの静電容量の少なくとも一部がトリマコンデンサにて構成され、該トリマコンデンサの容量調整部が、目的とする信号周波数に前記バンドパスフィルタの通過帯域を同調させるための可変同調部とされてなることを特徴とするフィルタ内蔵型ケーブルコネクタユニット。
【発明の詳細な説明】
【技術分野】
【０００１】
この発明は、放送受信波に混入する妨害波などをフィルタリングするための高周波用バンドパスフィルタと、該高周波用バンドパスフィルタを用いて構成されるとともに、放送受信機のケーブルに中間挿入する形で使用されるフィルタ内蔵型ケーブルコネクタユニットとに関する。
【背景技術】
【０００２】
【特許文献１】特開平９−５１２４１号公報
【０００３】
テレビ放送などの受信機においては、アンテナからの受信信号を同軸ケーブルなどの信号ケーブルを介して受信回路に入力するようにしている。周知の課題として、受信信号には、ノイズや電波干渉などの様々な要因により妨害波が重畳し、受信障害を生ずることがある。このような妨害波は、受信機が設置される地域や周辺環境によって程度も周波数帯も異なるため、希望波は通過させ妨害波は遮断する高周波用フィルタを受信機に設けて解決を図ることが多い。特許文献１には、そのような高周波用フィルタの一例として、ケーブルコネクタユニットに内蔵されたＬＣ型バンドエリミネートフィルタが開示されている。バンドエリミネートフィルタは、その遮断帯域を妨害波の周波数域に合せこむことで、妨害波を選択的に除去するものであるが、当然、バンドパスフィルタの通過帯域を、希望波の周波数域に合せこみ、希望波を選択的に通過させることも可能である。
【発明の開示】
【発明が解決しようとする課題】
【０００４】
バンドパスフィルタの通過特性は従来、通過域の周波数特性の平坦性が重視されてきたが、フィルタが組み込まれる回路全体の信号特性を考慮した場合、平坦なフィルタ通過特性が常に好適であるとは限らない状況も生じてきている。特に、フィルタ周辺の回路の信号特性が、バンドパスフィルタの通過帯域において比較的強い周波数依存性を示す場合、バンドパスフィルタ側でどれほど平坦な通過特性を実現しても、周辺回路部分の周波数依存特性の影響が大きく現れ、通信機器全体としてみれば良好な信号周波数特性が実現できないことも生じうる。
【０００５】
本発明の課題は、通過帯域の平坦領域において、その信号強度の周波数依存性に、周辺回路の周波数特性との協調等を図る上で好都合な特性を付加的に施すことができる高周波用バンドパスフィルタと、それを用いたフィルタ内蔵型ケーブルコネクタユニットとを提供することにある。
【課題を解決するための手段及び作用・効果】
【０００６】
上記の課題を解決するために、本発明の高周波用バンドパスフィルタは、
信号入力端子と信号出力端子とを結ぶとともに、信号入力端子側の第一経路と信号出力端子側の第二経路とに分割された信号主経路と、信号主経路の第一経路から分岐するとともに、該第一経路と接地とを短絡する形で設けられた第一主ＬＣ型並列共振回路と、信号主経路の第二経路から分岐するとともに、該第一経路と接地とを短絡する形で設けられた第二主ＬＣ型並列共振回路とを有するとともに、予め定められた中心周波数の帯域通過特性を示すバンドパスフィルタ主要部と、
バンドパスフィルタ主要部が形成する通過帯域の低周波端側と高周波端側とのそれぞれに共振トラップ極を形成する補助共振回路と、
第一経路において信号入力端子と第一主ＬＣ型並列共振回路との間に設けられた第一の誘導結合用分布定数線路部と、第二経路において信号出力端子と第二主ＬＣ型並列共振回路との間に設けられた第二の誘導結合用分布定数線路部とを予め定められた間隔で並列対向させることにより、バンドパスフィルタの帯域通過特性において、低周波端側及び高周波端側の各共振トラップ極の間に挟まれた平坦周波数特性領域に、通過信号強度が周波数に応じて連続的に増加ないし減少する勾配を付与する勾配形成用誘導結合部と、を有したことを特徴とする。
【０００７】
信号入出力の主経路上にコンデンサを設け、その両端に２つの主ＬＣ型並列共振回路をぶら下げたπ形フィルタは、バンドパスフィルタとしての特性を示す。しかし、該π形フィルタのままでは通過帯域がブロードとなり、選択性の良好な通過特性を実現することができない。この場合、通過帯域の低周波端側と高周波端側とのそれぞれに共振トラップ極を形成する補助共振回路を設けることで、選択性の良好な通過特性を実現できる。
【０００８】
本発明者らは、上記の構成のπ形フィルタにおいて、そのコンデンサを、分布定数線路部を並列に対向させた誘導結合部に置き換えた回路をバンドパスフィルタ主要部として用いることにより、低周波端側及び高周波端側の各共振トラップ極の間に挟まれた平坦周波数特性領域に、通過信号強度が周波数に応じて連続的に増加ないし減少する勾配を付与することができることを見出して、本発明を完成するに至った。分布定数線路部の並列対向構造という簡単な構成により、バンドパスフィルタの平坦周波数特性領域に勾配的な周波数特性を安価にかつ確実に付与することができる。例えば、バンドパスフィルタが接続される周辺回路がフィルタの通過帯域において、周波数特性上望まざる勾配を有している場合に、フィルタの平坦周波数特性領域に付与した勾配特性を利用してこれを抑制するなど、周辺回路との周波数特性上の協調も容易に図ることが可能となる。
【０００９】
通過帯域に形成する勾配の符号（向き）は、第一の誘導結合用分布定数線路部と第二の誘導結合用分布定数線路部とをそれぞれ通過する信号の位相関係により、容易に設定できる。この場合、第一の誘導結合用分布定数線路部と第二の誘導結合用分布定数線路部との、各々信号入力端子及び信号出力端子から第一主ＬＣ型並列共振回路及び第二主ＬＣ型並列共振回路の接地に向う方向を順方向として定める。
（正勾配の場合）
勾配形成用誘導結合部において、第一の誘導結合用分布定数線路部と第二の誘導結合用分布定数線路部とを、順方向が互い逆となるように対向させることにより、平坦周波数特性領域に、通過信号強度が周波数の増加に応じて連続的に増加する正勾配を付与することができる。
（負勾配の場合）
勾配形成用誘導結合部において、第一の誘導結合用分布定数線路部と第二の誘導結合用分布定数線路部とを、順方向が互いに一致するように対向させることにより、平坦周波数特性領域に、通過信号強度が周波数の増加に応じて連続的に減少する負勾配を付与することができる。
【００１０】
特に、信号入力端子と信号出力端子とに、通過信号強度が周波数の増加に応じて連続的に減少する負の周波数特性を有した信号ケーブルの接続が予定されている場合、勾配形成用誘導結合部が形成する正勾配特性により、信号ケーブルの負の周波数特性を少なくとも部分的に相殺することができる。すなわち、バンドパスフィルタの周辺回路として信号ケーブル（特に同軸ケーブルなどのシールドケーブル）が存在する場合、信号ケーブルは、高周波域となるほど信号の輻射損失が大きくなり、シールド効果も薄れるので、伝送信号強度は負の周波数依存性を示すことになる。しかし、バンドパスフィルタの周波数特性をる上記のような正勾配特性としておけば、信号ケーブル側の周波数依存性をキャンセルでき、バンドパスフィルタ及び信号ケーブルからなる回路全体で見たときに、より平坦な周波数特性を実現することができる。
【００１１】
次に、第一主ＬＣ型並列共振回路及び第二主ＬＣ型並列共振回路に含まれるインダクタンスは、いずれも誘電体共振器により構成することができる。これにより、並列共振回路のＱ値が一層高められ、フィルタの周波数選択特性（あるいはトラップの減衰効果）を一層向上することができる。この場合、信号入力端子側及び信号出力端子側において、第一経路及び第二経路には、バンドパスフィルタの入出力のインピーダンスを誘電体共振器を含む各共振回路の入力インピーダンスに近づけるためのインピーダンス調整部を設けることができる。並列共振回路は、これに含まれる誘電体共振器のＱ値が非常に大きく高インピーダンスである。従って、その入力及び出力のインピーダンスを並列共振回路側のインピーダンスに近づけるために、上記のようなインピーダンス調整部を設けることが、インピーダンス不整合による反射損失を抑制し、フィルタの利得を向上させる観点において好都合である。インピーダンス調整部は、希望する周波数帯で高インピーダンスを示すように回路定数が定められたインダクタやコンデンサを利用できる。
【００１２】
次に、本発明のフィルタ内蔵型ケーブルコネクタユニットは、
機器の信号ケーブルを接続するための第一コネクタ部及び第二コネクタ部が形成されたフィルタハウジングと、
上記本発明の高周波用バンドパスフィルタが搭載され、信号入力端子と信号出力端子がそれぞれ第一コネクタ部及び第二コネクタ部に導通するようにフィルタハウジング内に収容される回路基板とを有し、
第一主ＬＣ型並列共振回路及び第二主ＬＣ型並列共振回路に含まれるキャパシタの静電容量の少なくとも一部がトリマコンデンサにて構成され、該トリマコンデンサの容量調整部が、目的とする信号周波数にバンドパスフィルタの通過帯域を同調させるための可変同調部とされてなることを特徴とする。
【００１３】
上記構成によると、２つの主ＬＣ型並列共振回路に含まれる静電容量をトリマコンデンサとして可変に構成したので、例えば妨害波の周波数に対し、フィルタの通過帯域を容易に同調させることができる。
【発明を実施するための最良の形態】
【００１４】
以下、本発明の実施の形態を添付の図面に基づいて説明する。図１は、本発明の一実施形態を示すフィルタ内蔵型ケーブルコネクタユニット（以下、単に「コネクタユニット」ともいう）１の外観を示す平面図及び左右の側面図であり、図２は、正面断面図である。コネクタユニット１は、各々機器の信号ケーブル６を接続するための第一コネクタ部１１及び第二コネクタ部１２が形成されたフィルタハウジング１３と、フィルタハウジング１３内に収容され、第一コネクタ部１１と第二コネクタ部１２との間に挿入されるバンドパスフィルタ回路７が搭載された回路基板７０と、回路基板７０上のバンドパスフィルタ７に組み込まれた可変同調部７１（トリマコンデンサ１５：図４の回路図にて後述）とを有する。
【００１５】
図３は、バンドパスフィルタ７の回路構成例を示すものである。この回路は、ＵＨＦテレビ放送受信用のものであり（ＵＨＦ帯の周波数範囲は、Ｕ１３Ｃｈ〜Ｕ６２Ｃｈで４７０ＭＨｚ〜７７０ＭＨｚである）、バンドパスフィルタ主要部７Ｍ（勾配形成用誘導結合部８３を含む）と補助共振回路９０Ａ，９０Ｂとをその要部として構成されている。バンドパスフィルタ主要部７Ｍは、信号入力端子８４と信号出力端子８６とを結ぶとともに、信号入力端子８４側の第一経路ＬＭ１と信号出力端子８６側の第二経路ＬＭ２とに分割された信号主経路と、信号主経路の第一経路ＬＭ１から分岐するとともに、該第一経路ＬＭ１と接地とを短絡する形で設けられた第一主ＬＣ型並列共振回路１４Ａと、信号主経路の第二経路ＬＭ２から分岐するとともに、該第一経路ＬＭ１と接地とを短絡する形で設けられた第二主ＬＣ型並列共振回路１４Ｂとを有し、予め定められた中心周波数の帯域通過特性を示すものである。補助共振回路９０Ａ，９０Ｂは、バンドパスフィルタ主要部７Ｍが形成する通過帯域の低周波端側と高周波端側とのそれぞれに共振トラップ極を形成する。なお、信号入力端子８４と信号出力端子８６との間において、信号主経路と並列に、不要周波数成分をカットするための図示しないチョークコイルを適宜設けることも可能である。
【００１６】
勾配形成用誘導結合部８３は、第一経路ＬＭ１において信号入力端子８４と第一主ＬＣ型並列共振回路１４Ａとの間に設けられた第一の誘導結合用分布定数線路部８２Ａと、第二経路ＬＭ２において信号出力端子８６と第二主ＬＣ型並列共振回路１４Ｂとの間に設けられた第二の誘導結合用分布定数線路部８２Ｂとを予め定められた間隔で並列対向させたものである。該構造により、バンドパスフィルタ７の帯域通過特性において、低周波端側及び高周波端側の各共振トラップ極の間に挟まれた平坦周波数特性領域に、通過信号強度が周波数に応じて連続的に増加ないし減少する勾配を付与する機能を果たす。図３の回路構成では、勾配形成用誘導結合部８３は、第一の誘導結合用分布定数線路部８２Ａと第二の誘導結合用分布定数線路部８２Ｂとを、順方向が互い逆となるように対向させることにより形成され、平坦周波数特性領域に、通過信号強度が周波数の増加に応じて連続的に増加する正勾配が付与される。しかし、目的によっては、図７に示すように、第一の誘導結合用分布定数線路部８２Ａと第二の誘導結合用分布定数線路部８２Ｂとを、順方向が互いに一致するように対向させることにより、平坦周波数特性領域に、通過信号強度が周波数の増加に応じて連続的に減少する負勾配を付与することも可能である。以下、正勾配付与の場合で代表させて説明する。
【００１７】
第一主ＬＣ型並列共振回路１４Ａ及び第二主ＬＣ型並列共振回路１４Ｂに含まれるインダクタンスは、いずれも誘電体共振器１７Ａ，１７Ｂ（本実施形態では、共振周波数約８８０ＭＨｚ、無負荷時のＱ値が約１５００）により構成されている。そして、主経路ＬＭの入力側と出力側とにそれぞれインピーダンス調整部８０Ａ，８０Ｂが設けられている。インピーダンス調整部８０Ａ，８０Ｂは、フィルタの入力及び出力のインピーダンス（例えば約５０Ω）を並列共振回路１４Ａ，１４Ｂのインピーダンスに近づけて、インピーダンス不整合による反射損失を抑制する役割を果たす。
【００１８】
インピーダンス調整部は、上記第一主ＬＣ型並列共振回路１４Ａ及び第二主ＬＣ型並列共振回路１４Ｂに、入出力インピーダンス（５０Ω）が整合するように回路定数が定められたインダクタ１８１Ａ，１８１Ｂや、コンデンサ１８０Ａ，１８０Ｂを利用できる（本実施形態では両者を組み合わせているが、各々単独でも採用可能である）。また、分布定数線路部をインピーダンス調整部として採用することもできるが、回路基板７０のコンパクト化を考慮すると、インダクタやコンデンサのような集中定数回路素子を用いることが望ましい。本実施形態では、インピーダンス調整部８０Ａ，８０Ｂとして、インダクタ１８１Ａ，１８１Ｂは、数ターン（３ターン以上１５ターン以下：インダクタンスは３０〜１５０ｎＨ）程度の巻線コイル（インダクタ）１８１Ａ，１８１Ｂを利用し、コンデンサ１８０Ａ，１８０Ｂは、静電容量が１０００ｐＦのチップコンデンサ（直流を遮断して高周波信号を通過させる役割を果たす）を利用している。
【００１９】
第一ＬＣ型並列共振回路１４Ａ及び第二ＬＣ型並列共振回路１４Ｂに含まれるキャパシタの静電容量は、トリマコンデンサ１５Ａ，１５Ｂ（本実施形態では容量調整範囲１．０ｐＦ〜１０ｐＦ）にて構成されている。該トリマコンデンサ１５Ａ，１５Ｂの容量調整部が、目的とする信号周波数にバンドパスフィルタの通過帯域を同調させるための可変同調部７１とされている。
【００２０】
補助共振回路は、第一経路ＬＭ１及び第二経路ＬＭ２に対し、勾配形成用誘導結合部８３の形成されているのと反対側において、各々接地との間で第一主ＬＣ型並列共振回路１４Ａ及び第二主ＬＣ型並列共振回路１４Ｂに対し並列に接続された、各々インダクタ９１Ａ，９１Ｂ（インダクタンス：２０〜５０ｎＨ）及びコンデンサ９３Ａ，９３Ｂ（静電容量：０．５ｐＦ）からなる第一及び第二の補助ＬＣ直列共振回路９０Ａ，９０Ｂにて構成されている。インピーダンス調整部８０Ａ，８０Ｂは、第一経路ＬＭ１及び第二経路ＬＭ２においてそれぞれ、補助ＬＣ直列共振回路の分岐点と主ＬＣ並列共振回路の分岐点との間に配置されている。これにより、バンドパスフィルタ主要部７Ｍが形成する帯域通過特性の両端に、より急峻で深いトラップ極を形成でき、フィルタの選択性が向上するとともに、狭帯域の通過特性も容易に実現できる。なお、本実施形態では、トラップ極の急峻性をさらに高めるために、インダクタ９１に並列共振結合する補助コンデンサ９２Ａ，９２Ｂを設けている。
【００２１】
図４は回路基板７０の部品レイアウト例をそれぞれ示すもので、上は表面側のレイアウトを、下は裏面側のレイアウトをそれぞれ示すものである。第一主ＬＣ型並列共振回路１６と第二主ＬＣ型並列共振回路１７の各トリマコンデンサ１５Ａ，１５Ｂは、インピーダンス調整部をなす巻線コイル８０Ａ，８０Ｂとともに、回路基板７０の裏面側にそれぞれ実装されている。一方、第一主ＬＣ型並列共振回路１６と第二主ＬＣ型並列共振回路１７の各誘電体共振器１７Ａ，１７Ｂは回路基板７０の表面側に実装されている。
【００２２】
誘電体共振器１７Ａ，１７Ｂを用いた上記回路構成において、回路基板７０上に実装された第一主ＬＣ型並列共振回路１４Ａ及び第二主ＬＣ型並列共振回路１４Ｂの各誘電体共振器１７Ａ，１７Ｂのリード線８２Ａ，８２Ｂは、その先端が、回路基板７０上の第一経路ＬＭ１及び第二経路ＬＭ２に接続されている。それらリード線８２Ａ，８２Ｂが、第一の誘導結合用分布定数線路部８２Ａと第二の誘導結合用分布定数線路部８２Ｂとして使用されている。このように構成すると、誘電体共振器１７Ａ，１７Ｂのリード線部分を誘導結合用分布定数線路部８２Ａ，８２Ｂに併用する形で勾配形成用誘導結合部８３を形成することができ、勾配形成用誘導結合部８３のためのプリント配線部等を回路基板７０上に敢えて形成する必要がなくなるので、基板構成の簡略化を果たすことができる。また、図４に「要部」として示すように、誘導結合用分布定数線路部をなすリード線８２Ａ，８２Ｂを、基板主両面から浮かせて配置することで、回路基板７０主表面のリード線８２Ａ，８２Ｂの直下位置にもプリント配線部を引き回すことができ、限られた基板面積を有効活用できる。
【００２３】
勾配形成用誘導結合部８３によりバンドパスフィルタ７の平坦周波数特性領域に形成する周波数特性の勾配の大きさは、第一の誘導結合用分布定数線路部８２Ａと第二の誘導結合用分布定数線路部８２Ｂとの対向間隔σ又は対向区間長ＬＳにより容易に調整することができる。特に対向間隔σは、対向区間長ＬＳと比較して勾配変化に与える影響が大きく現れるので、該勾配の主要な調整因子として活用できる。他方、対向区間長ＬＳの変更は、勾配の微調整等に有効利用できる。
【００２４】
誘電体共振器１７Ａ，１７Ｂのリード線８２Ａ，８２Ｂは、回路基板７０上のプリント配線部ＬＭ１，ＬＭ２をなすＣｕ箔厚さよりも径大のリード線８２Ａ，８２Ｂとされている。プリント配線部ＬＭ１，ＬＭ２は、基板をなす高分子材料等からなる誘電体と接するためＱが比較的小さい（例えば５０前後）が、リード線８２Ａ，８２Ｂは空気中に配置されるのでＱが大きい〈例えば１０００以上〉。これにより、勾配形成用誘導結合部８３に用いる分布定数線路のＱ及びインダクタンスを高めることができ、プリント配線部を利用して誘導結合部を形成するよりは、誘導結合効果ひいては通過特性への勾配付与効果をはるかに顕著に達成できる。リード線８２Ａ，８２Ｂの太さは例えば０．３ｍｍ以上１ｍｍ以下の範囲で選定する。
【００２５】
本実施形態では、第一主ＬＣ型並列共振回路１４Ａ及び第二主ＬＣ型並列共振回路１４Ｂの誘電体共振器１７Ａ，１７Ｂを、リード線８２Ａ，８２Ｂが引き出される側の端面同士が互いに対向するように回路基板７０上に実装し、両リード線８２Ａ，８２Ｂを、順方向が互いに逆向きとなるように回路基板７０上にて対向配置する構成を採用している。これにより、正の勾配特性を実現するために、リード線８２Ａ，８２Ｂの順方向を互いに逆転させた位置関係で配置するレイアウトが容易に得られる。
【００２６】
図３の回路構成のバンドパスフィルタ７について、通過特性を測定した例を図６に示す。ただし、勾配形成用誘導結合部８３において、第一の誘導結合用分布定数線路部８２Ａと第二の誘導結合用分布定数線路部８２Ｂをなす各リード線の線径は約０．５ｍｍであり、対向間隔σは平均値で約３ｍｍ、対向区間長ＬＳは約１０ｍｍに定めている。通過帯域の中心周波数は約７３０ＭＨｚである（なお、低域側のトラップ極はスケール外であり、図示されていない）。
【００２７】
上記バンドパスフィルタ７は、通過帯域の中心周波数ｆ０がＵＨＦ帯に定められており、信号入力端子８４と信号出力端子８６とには、第一コネクタ１１及び第二コネクタ１２により、信号ケーブルとして同軸ケーブル６（図１参照）がそれぞれ接続されている。同軸ケーブル６は、高周波域となるほど信号の輻射損失が大きくなり、シールド効果も薄れるので、図５に破線で示すように、伝送信号強度は負の周波数依存性を示す。しかし、バンドパスフィルタ７の周波数特性が、上記勾配形成用誘導結合部８３の作用により、一点鎖線で示すような正勾配特性となっていれば、破線で示す同軸ケーブル６側の周波数依存性をキャンセルでき、バンドパスフィルタ７及び同軸ケーブル６からなる回路全体で見たときに、実線で示すように、より平坦な周波数特性を実現することができる。また、正勾配の周波数特性では、通過帯域の低周波側の信号に適度な減衰をかけることができ、例えば帯域内で隣接した２つのチャンネル（例えば地上波デジタルと地上波アナログの隣接チャンネル）の低周波側のものの通過出力を制限するような機能も実現できる。
【００２８】
以上でバンドパスフィルタ７の説明を終わり、以下、本実施形態特有の細部について補足的に説明を行なう。図１及び図２に示すように、フィルタハウジング１３は、一端に第一コネクタ部１１が形成され、他端に開口を有する筒状に構成された本体部２と、第二コネクタ部１２が形成されるとともに本体部２の開口を着脱可能に塞ぐ蓋部４とを有する。本体部２及び蓋部４は、いずれもステンレス鋼などの金属製である。横長に形成された回路基板７０は通常のプリント配線基板であり、長手方向の一端が蓋部４の内側端面に固定され、該回路基板７０を本体部２の内側に挿入しつつ蓋部４を本体部２に装着するようにしている。このように構成することで、フィルタハウジング１３内部への回路基板７０の組付けを非常に容易に行うことができる。本実施形態においては、蓋部４は、蓋部本体４２の外周面に形成された雄ねじ部４３が、本体部２の開口内周面に形成された雌ねじ部２４に螺合するようになっており、蓋部本体４２の後端側には、本体部２の開口内径よりも径大に構成されたフランジ部４１が一体化されている。
【００２９】
図２に示すように、回路基板７０の長手方向の各端部からは、信号入力部及び信号出力部をなすリード線８４，８６が延出している。そして、それら入出力用のリード線８４，８６が本体部２及び蓋部４側に形成されたリード取出用貫通孔２ｈ，４ｈを経て各々第一コネクタ部１１及び第二コネクタ部１２に引き出されている。そして、リード取出用貫通孔２ｈ，４ｈの内部において、蓋部４又は本体部２をなす導体部とリード線８４，８６との間が防水用の高分子材料部５４，９４にて充填されている。これにより、コネクタ側からフィルタハウジング１３内への水滴等の侵入を効果的に防止することができる。
【００３０】
本実施形態において第二コネクタ１２は、蓋部４の後端面から突出する筒状部４９（外周面に、ケーブル固定用のナット５を螺合させるための雄ねじ部３１が形成されている）にて構成され、結合対象となる同軸ケーブルの芯線端部を保持するためのソケット金具４８が内蔵された雌コネクタとされている。ソケット金具４８は、挿入される同軸ケーブル６の芯線を導通状態で狭持するためのもので、回路基板７０からのリード線８６とはんだ付けされている。また、第一コネクタ１１は、本体部２の反対側の端面から突出する筒状部５６にて構成され、雌ねじ部５２を有したケーブル固定用のナット５’が、摺動リング２３を介して筒状部５６の外周面に回転可能に嵌め込まれている。そして、図１に示すように、同軸ケーブル６の末端に装着された端子用ボルトリング６Ｔ（図１）を、ナット５’の雌ねじ部に螺合することで接続を行う。
【００３１】
図２に示すように、回路基板７０の長手方向の端部からは前述のリード線８４が延出し、回路基板７０のリード線８４の延出側基端部に対応する位置に、該リード線８４の周囲を取り囲むシールド導体８９が設けられている。シールド導体８９は、回路基板７０に形成された接地導体箔に導通している。これにより、高周波の接地効果がより高められている。
【００３２】
本実施形態において、シールド導体８９は、帯状の金属板をＵ字形状に湾曲させ、両末端の突起を回路基板７０の実装孔に挿入して、回路基板７０側の接地導体箔と導通するようにはんだ付け固定した構成としている。該シールド導体８９は、フィルタハウジング１３の内壁面と当接し、接地経路の一部を形成する。図８に示すように、シールド導体８９の一部を、フィルタハウジング１３（ここでは本体部２）の内面との当接により弾性変形するばね当接部８９ａとしておけば、基板７０のハウジング内での位置決め不正やねじれなどの変形が生じても、該ばね当接部８９ａが弾性復帰力によってフィルタハウジング１３側に付勢され、接地のための当接をより確実なものとすることができる。本実施形態では、本体部２の底部内面と当接し、基板７０の挿入軸線方向に弾性付勢されるばね当接部８９ａを設けている。これにより、蓋部７を本体部２に螺合装着させるとき、その螺進ストローク（例えば後述の操作孔２１と容量調整ねじ部７１との位置決め位相によって決まる）が多少変動しても、ばね当接部８９ａの弾性変形によりその変動を吸収でき、常に良好な接地当接状態が得られる。ここでは、シールド導体８９をなす帯状の金属板に対し、その幅方向における基板長手方向後端側の縁部に沿って、金属板の長手方向端縁から一定長さの切込みを入れ、その切込みにより分離された細長い舌状の金属片部を、金属板幅方向において該切込みから遠ざかる向きに曲げ起こすことによって、上記のばね当接部８９ａを形成している。また、シールド導体８９をフィルタハウジング１３に対し安定的にばね当接できるよう、該ばね当接部８９ａは帯状の金属板の両端部に形成している。金属板の一部をそのままばね当接部８９ａとして用いるために、該金属板の全体をばね用金属材料、ここではリン青銅にて構成してある。
【００３３】
また、図２に示すように、蓋部４の内側端面には、回路基板７０の一端部を挟圧保持する基板保持スロット部８６が形成され、該回路基板７０の各主表面を覆う接地導体箔が、該基板保持スロット部８６及び蓋部４を介して本体部２に導通している。基板保持スロット部８６は蓋部４の端面から突出形成された１対の金属リブ部からなり、リブ部の間に形成された溝状のスペースに回路基板７０の端部を差し込み、その状態でリブ部間の距離が縮小するように加締めることで回路基板７０を保持する。加締め止めによって、基板７０の裏表の接地導体箔が金属リブ部としっかり接触し、フィルタハウジング１３を介した回路の接地効果を高めることができる。また、回路基板７０の非支持側の端部が振動開放端となるので、外部から衝撃を受けた場合も基板振動により吸収でき、破損や断線等を生じにくい。具体的には、図１に示すように、本体部２は、第一コネクタ部１１及び第二コネクタ部１２に各々信号ケーブルをなす同軸ケーブル６を接続した状態において、該同軸ケーブル６のシールド導体部６ｓに導通するものとされている。
【００３４】
なお、以上説明した実施形態では、高周波用バンドパスフィルタをいずれもフィルタ内蔵型ケーブルコネクタユニットに組み込んだ構成としていたが、本発明の高周波用バンドパスフィルタの使用形態はこれに限られるものではなく、例えば、箱型ケース（パネルに入出力の同軸コネクタを配置したもの）内に組み込まれた形状や、通信機器に内蔵されたバンドパスフィルタとして構成することも可能である。
【図面の簡単な説明】
【００３５】
【図１】本発明のフィルタ内蔵型ケーブルコネクタユニットの、外観構造の一例を示す平面図。
【図２】図１のコネクタユニットの内部構造を示す正面断面図。
【図３】フィルタ回路の第一例を示す回路図。
【図４】フィルタ回路の基板実装形態の一例を示す説明図。
【図５】本発明のバンドパスフィルタの作用の一例を示す模式図。
【図６】図３の回路によるバンドパスフィルタの通過特性の一例を示すグラフ。
【図７】フィルタ回路の第二例を示す回路図。
【符号の説明】
【００３６】
１  フィルタ内蔵型ケーブルコネクタユニット
６  信号ケーブル（同軸ケーブル）
７  バンドパスフィルタ回路
７Ｍ  バンドパスフィルタ主要部
ＬＭ１，ＬＭ２  主経路（第一経路／第二経路）
１４Ａ，Ｂ  主ＬＣ型並列共振回路
１５Ａ，Ｂ  トリマコンデンサ（可変同調部）
１７Ａ，Ｂ  誘電体共振器
７０  回路基板
７１  同調操作部
８２Ａ，Ｂ  リード線（第一及び第二の誘導結合用分布定数線路）
８３  勾配形成用誘導結合部
８４  信号入力端子（リード線）
８６  信号出力端子（リード線）
９０Ａ，９０Ｂ  補助共振回路
【図１】
2006074257.tif 000003
【図２】
2006074257.tif 000004
【図３】
2006074257.tif 000005
【図４】
2006074257.tif 000006
【図５】
2006074257.tif 000007
【図６】
2006074257.tif 000008
【図７】
2006074257.tif 000009